(57)【要約】【課題】上下に積み重ねて使用することができ、上又は下に配置されたことを自動的に認識し、明るい投写映像をスクリーン上に表示することができるプロジェクタ及びこのプロジェクタを２台用いたプロジェクタ装置を提供する。【解決手段】ケース２の上面２１に備えられた第１スイッチ３１と、下面２２に備えられた第２スイッチ７１とを有し、第１スイッチ３１が投入されると映像生成手段１２は投写しようとする映像とその下部に連結する黒映像がスクリーン上に投写されるように映像を生成し、第２スイッチ７１が投入されると映像生成手段１２は投写しようとする映像とその上部に連結する黒映像がスクリーン上に投写されるように映像を生成する。【選択図】図１
2007322820.tif 000002
【特許請求の範囲】
【請求項１】
直方体形状のケースと、
前記ケース内部に配置され映像を生成する映像生成手段と、
前記映像生成手段で生成された前記映像をスクリーン上に拡大投写する投写レンズと、
前記ケースの下面の３点に備えられた脚部とを有し
前記脚部の１個は固定型脚部材で、残り２個は長さを調整できる可変長脚部材である２台のプロジェクタを備え、
前記２台のプロジェクタを前記投写映像の光軸が平行になるように上下に積み重ね、同時に前記スクリーンに映像を投写することができるプロジェクタ装置であって、
前記スクリーン上に投写された映像は、前記２台のプロジェクタより投写された投写映像が重なった映像領域と、前記投写映像が重ならない非映像領域とを形成しており、
前記ケースの上面は該上面より一体的に突設された一対の第１ボスと、最奥部に第１押しボタンスイッチが配置された一対の凹孔とを有しており、
前記下面には第２ボスと、最奥部に第２押しボタンスイッチが配置された一対の凹部とを有しており、
前記プロジェクタを上下に積み重ねて配置するときに、上側に配置されるプロジェクタの前記可変長脚部材を最短になるように調整し下側のプロジェクタの上に積み重ねて配置することで、前記上側のプロジェクタの前記固定型脚部材及び前記第２ボスの先端部が前記凹孔に挿入され前記第１押しボタンスイッチを押すとともに、前記下側のプロジェクタの一対の第１ボスの先端が前記上側のプロジェクタの一対の凹部に挿入され前記第２押しボタンスイッチを押し、
前記第１押しボタンスイッチを押されたプロジェクタの映像生成手段は前記映像領域に投写しようとする画像と該映像領域の下部に連結する非映像領域に黒画像とが投写されるように映像を生成するとともに、前記第２押しボタンスイッチを押されたプロジェクタの映像生成手段は前記映像領域に前記投写しようとする画像と同じ画像が、該映像領域の上部に連結する非映像領域に黒画像が投写されるように映像を生成することを特徴とするプロジェクタ装置。
【請求項２】
直方体形状のケースと、
前記ケース内部に配置され映像を生成する映像生成手段と、
前記映像生成手段で生成された前記映像をスクリーン上に拡大投写する投写レンズと、
前記ケースの下面に配置され、該ケースを支持するための３個の脚部材を具備した脚部とを有する２台のプロジェクタを備え、
前記２台のプロジェクタを投写映像の光軸が平行になるように上下に積み重ね、同時に前記スクリーンに映像を投写することができるプロジェクタ装置であって、
前記スクリーン上に投写された映像は、前記２台のプロジェクタより投写された投写映像が重なった映像領域と、前記投写映像が重ならない非映像領域とを形成しており、
前記ケースの上面は該上面より一体的に突設された一対のボスと、前記プロジェクタを上下に重ねて配置したときに上部に配置されたプロジェクタの前記脚部が挿入される３個の凹孔とを有しており、
前記ケースの下面は前記プロジェクタを上下に重ねて配置したときに下部に配置されたプロジェクタの前記一対のボスの先端が挿入される一対の凹部を有しており、
前記凹孔のうち２個の凹孔の最奥部には第１押しボタンスイッチが配置されており、
前記凹部の最奥部には第２押しボタンスイッチが配置されており、
前記プロジェクタを上下に重ねて配置するときに、下側のプロジェクタの前記第１押しボタンスイッチは上側のプロジェクタの前記脚部にて２個同時に押され、前記上側のプロジェクタの前記第２押しボタンスイッチは前記下側のプロジェクタのボスにて２個同時に押されるものであり
前記第１押しボタンスイッチを押されたプロジェクタの映像生成手段は前記映像領域に投写しようとする画像と、該映像領域の下部に連結する非映像領域に黒画像とが投写されるように映像を生成するとともに、前記第２押しボタンスイッチを押されたプロジェクタの映像生成手段は前記映像領域に前記投写しようとする画像と同じ画像と該映像領域の上部に連結する非映像領域に黒画像とが投写されるように映像を生成することを特徴とするプロジェクタ装置。
【請求項３】
ケースと、
前記ケース内部に配置され映像を生成する映像生成手段と、
前記ケースの下面に配置された脚部とを有するプロジェクタであって、
前記ケースは上面に備えられた第１スイッチと、下面に備えられた第２スイッチとを有しており、
前記第１スイッチが投入されたプロジェクタの映像生成手段は投写しようとする映像とその下部に連結する黒映像がスクリーン上に投写されるように映像を生成し、前記第２スイッチが投入されたプロジェクタの映像生成手段は投写しようとする映像とその上部に連結する黒映像がスクリーン上に投写されるように映像を生成することを特徴とするプロジェクタ。
【請求項４】
請求項３に記載のプロジェクタを２台備え、
前記２台のプロジェクタより投写される投写映像の光軸が平行になるように上下に積み重ねるとともに、スクリーンに同時に映像を投写するプロジェクタ装置であって、
上に配置されたプロジェクタの下面に形成された第２スイッチが下に配置されたプロジェクタによって投入されるとともに、前記下に配置されたプロジェクタの上面に形成された第１スイッチが前記上に配置されたプロジェクタによって投入され、
前記２台のプロジェクタにて形成された映像は、前記投写しようとする映像が前記スクリーン上で重なることを特徴とするプロジェクタ装置。
【請求項５】
前記第１スイッチ及び前記第２スイッチは前記ケースの上面及び下面に形成された係合凹孔の最奥部に備えられていることを特徴とする請求項４に記載のプロジェクタ装置。
【請求項６】
前記第１スイッチ及び前記第２スイッチは押しボタンスイッチであり、前記第１スイッチ投入手段及び前記第２スイッチ投入手段は、それぞれ、前記ケースの上面及び下面より突設されたボスであることを特徴とする請求項４に記載のプロジェクタ装置。
【請求項７】
前記脚部の一部を前記第２スイッチ投入手段として用いることを特徴とする請求項４に記載のプロジェクタ装置。
【発明の詳細な説明】
【技術分野】
【０００１】
本発明は、スクリーンに映像を投写するプロジェクタに関するものであり、特に複数台のプロジェクタからの映像を１つのスクリーン上に重ねて投写することができるプロジェクタ及びこのプロジェクタを２台積み重ねて利用するプロジェクタ装置に関するものである。
【背景技術】
【０００２】
スクリーン上に映像を投写するプロジェクタは、光源と、前記光源より出射した光をもとに映像に変換する光学エンジンと、前記光学エンジンより出力された映像を前記スクリーン上に拡大投写するためのズームレンズを備えている。近年、ホームシアタ用や教室用等にプロジェクタを利用することが増えてきている。可搬性が良好であり、低価格であることから小型、軽量なプロジェクタが広く一般に普及している。
【０００３】
前記小型、軽量なプロジェクタはホームシアタや教室等の狭い部屋で小型のスクリーン上に映像を投写するものであり、前記小型スクリーンに映像を投影する場合において十分な明るさの映像を投写することができる。一方、同じプロジェクタを用いて広い部屋等で大型のスクリーン上に映像を投写する場合、大型のスクリーンに投影された映像は十分な明るさでない場合がある。明るさが不十分な場合、投写されたい映像の発色が悪かったり、コントラストが落ちたりして見にくい映像になる。
【０００４】
そこで、上述のような小型のプロジェクタを２台（複数台）積み重ね、それぞれのプロジェクタより同一映像を１つのスクリーンに投写する方法が採られている。この方法によると、スクリーン上には２台のプロジェクタからの映像が投写されており、映像の見かけ上の明るさは明るくなる（特開平１１−２５８５６５号公報等参照）。
【０００５】
また、２台の投写装置からの映像を反射ミラーを用いてスクリーン上に相補的に結像させ明るさを補うもの（特開平５−３２３２５９号公報等参照）、２台の投写装置からの映像を偏光ビームスプリッタを用いて合成するもの（特開平８−６２５６５号公報）なども提案されている。
【０００６】
また、特開２００２−７７７７８号公報に記載の発明には、複数台のプロジェクタ装置が生成した複数の部分映像を一部重なるように投写して、１つの映像を１つのスクリーン上に描画するものも提案されている。
【０００７】
【特許文献１】特開平１１−２５８５６５号公報
【特許文献２】特開平５−３２３２５９号公報
【特許文献３】特開平８−６２５６５号公報
【特許文献４】特開２００２−７７７７８号公報
【発明の開示】
【発明が解決しようとする課題】
【０００８】
しかしながら、２個の小型プロジェクタを積み重ね、それぞれのプロジェクタより出射する同一映像を１つのスクリーンに投写するものの場合、２個の小型プロジェクタよりスクリーン上に投写される映像が正確に重なるように調整しなくてはならず手間がかかる。また、わずかな振動や衝撃が加えられた場合、前記プロジェクタが移動し、スクリーン上に投写された映像の重ねあわせの精度が落ち、見づらい映像になる場合がある。
【０００９】
また、特開平１１−２５８５６５号公報に記載の発明は、プロジェクタを上下に積み重ねるものであり、上側に配置されるプロジェクタ及び下側に配置されるプロジェクタとを別途調整しなくてはならず、設置に手間がかかる。
【００１０】
特開平５−３２３２５９号公報に記載の発明は、投写装置以外に反射ミラーを準備しなくてはならず、特開平８−６２５６５号公報に記載の発明は、投写装置以外に偏光ビームスプリッタを準備しなくてはならない。また、反射ミラーや偏光ビームスプリッタ及び投写装置の位置を正確に設定しなくてはならず、取り扱いに手間がかかる。
【００１１】
さらに、特開２００２−７７７７８号公報に記載の発明では、複数台のプロジェクタで生成された映像を一部が重なるようにスクリーンに投写し、重なった部分の明るさを調整するものであり、明るさの調整に手間がかかる。
【００１２】
そこで本発明は、上下に積み重ねて使用することができ、自動的に各プロジェクタからスクリーンへの投写映像の一部を精度良く一致させ、明るい投写映像をスクリーン上に表示することができるプロジェクタ及びこのプロジェクタを２台用いたプロジェクタ装置を提供することを目的とする。
【００１３】
また本発明は、上下に積み重ねて使用することができ、上又は下に配置されたことを自動的に認識することができ、それだけ、簡単に扱うことができるプロジェクタ及びこのプロジェクタを２台用いたプロジェクタ装置を提供することを目的とする。
【００１４】
また本発明は、上及び下のいずれにも配置することができ、それだけ、取り扱いが容易なプロジェクタ及びこのプロジェクタを２台用いたプロジェクタ装置を提供することを目的とする。
【００１５】
さらに本発明は、小型のプロジェクタを上下に積み重ねて映像を投写することで、略同じ投写映像を投写できる大型プロジェクタに比べて安価に明るい投写映像をスクリーン上に表示することができるプロジェクタ装置を提供することを目的とする。
【課題を解決するための手段】
【００１６】
上記目的を達成するために本発明は、ケースと、前記ケース内部に配置され映像を生成する映像生成手段と、前記ケースの下面に配置された脚部とを有するプロジェクタであって、前記ケースは上面に備えられた第１スイッチと、下面に備えられた第２スイッチとを有しており、前記第１スイッチが投入されたプロジェクタの映像生成手段は投写しようとする映像とその下部に連結する黒映像がスクリーン上に投写されるように映像を生成し、前記第２スイッチが投入されたプロジェクタの映像生成手段は投写しようとする映像とその上部に連結する黒映像がスクリーン上に投写されるように映像を生成することを特徴とする。
【００１７】
この構成によると前記第１スイッチ又は前記第２スイッチのいずれか一方が投入されると、前記プロジェクタは自動的に前記投写しようとする映像と黒映像を自動的に、該投写しようとする映像の上又は下に連結してスクリーンに投写することができる。
【００１８】
上記構成のプロジェクタを２台備え、前記２台のプロジェクタより投写される投写映像の光軸が平行になるように上下に積み重ねるとともに、スクリーンに同時に映像を投写するプロジェクタ装置であって、上に配置されたプロジェクタの下面に形成された第２スイッチが下に配置されたプロジェクタによって投入されるとともに、前記下に配置されたプロジェクタの上面に形成された第１スイッチが前記上に配置されたプロジェクタによって投入され、前記２台のプロジェクタにて形成された映像は、前記投写しようとする映像が前記スクリーン上で重なることを特徴とする。
【００１９】
この構成によると、前記２台のプロジェクタを上下に積み重ねて配置することで、該各プロジェクタが上又は下にあることを自動的に認識することができる。また、上にあると認識したプロジェクタは前記投写しようとする映像の上に黒映像を連結して生成する。また、下にあると認識したプロジェクタは前記投写しようとする映像の下に黒映像を連結して生成する。各プロジェクタにて生成された映像をスクリーン上に投写することで、各プロジェクタにて生成された投写しようとする映像を重ねて表示することができる。
【００２０】
すなわち、上下に積み重ねられた２台のプロジェクタより投写された前記投写しようとする映像を自動的に重ねることができ、明るい投写映像をスクリーン上に表示することができる。
【００２１】
また、前記プロジェクタを積み重ねるときに微調整や、設定の切り替えを行わなくてもよく、それだけ、簡単に明るい投写映像をスクリーン上に表示することが可能である。
【００２２】
さらに、前記プロジェクタを上下いずれにも配置することができるので、それだけ、取り扱いが容易でしかも安価にスクリーン上の投写映像を明るくすることが可能である。
【００２３】
上記構成において前記第１スイッチ及び前記第２スイッチは前記ケースの上面及び下面に形成された係合凹孔の最奥部に備えられていてもよい。また、前記第１スイッチ及び前記第２スイッチは押しボタンスイッチとし、前記第１スイッチ投入手段及び前記第２スイッチ投入手段を、それぞれ、前記ケースの上面及び下面より突設されたボスとしてもよい。さらに前記脚部の一部を前記第２スイッチ投入手段として用いてもよい。
【００２４】
上記目的を達成するために本発明は次の構成とすることができる、すなわち、直方体形状のケースと、前記ケース内部に配置され映像を生成する映像生成手段と、前記映像生成手段で生成された前記映像をスクリーン上に拡大投写する投写レンズと、前記ケースの下面の３点に備えられた脚部とを有し前記脚部の１個は固定型脚部材で、残り２個は長さを調整できる可変長脚部材である２台のプロジェクタを備え、前記２台のプロジェクタを前記投写映像の光軸が平行になるように上下に積み重ね、同時に前記スクリーンに映像を投写することができるプロジェクタ装置であって、前記スクリーン上に投写された映像は、前記２台のプロジェクタより投写された投写映像が重なった映像領域と、前記投写映像が重ならない非映像領域とを形成しており、前記ケースの上面は該上面より一体的に突設された一対の第１ボスと、最奥部に第１押しボタンスイッチが配置された一対の凹孔とを有しており、前記下面には第２ボスと、最奥部に第２押しボタンスイッチが配置された一対の凹部とを有しており、前記プロジェクタを上下に積み重ねて配置するときに、上側に配置されるプロジェクタの前記可変長脚部材を最短になるように調整し下側のプロジェクタの上に積み重ねて配置することで、前記上側のプロジェクタの前記固定型脚部材及び前記第２ボスの先端部が前記凹孔に挿入され前記第１押しボタンスイッチを押すとともに、前記下側のプロジェクタの一対の第１ボスの先端が前記上側のプロジェクタの一対の凹部に挿入され前記第２押しボタンスイッチを押し、前記第１押しボタンスイッチを押されたプロジェクタの映像生成手段は前記映像領域に投写しようとする画像と該映像領域の下部に連結する非映像領域に黒画像とが投写されるように映像を生成するとともに、前記第２押しボタンスイッチを押されたプロジェクタの映像生成手段は前記映像領域に前記投写しようとする画像と同じ画像が、該映像領域の上部に連結する非映像領域に黒画像が投写されるように映像を生成することを特徴とするプロジェクタ装置。
【００２５】
上記目的を達成するために本発明は次の構成とすることができる、すなわち、直方体形状のケースと、前記ケース内部に配置され映像を生成する映像生成手段と、前記映像生成手段で生成された前記映像をスクリーン上に拡大投写する投写レンズと、前記ケースの下面に配置され、該ケースを支持するための３個の脚部材を具備した脚部とを有する２台のプロジェクタを備え、前記２台のプロジェクタを投写映像の光軸が平行になるように上下に積み重ね、同時に前記スクリーンに映像を投写することができるプロジェクタ装置であって、前記スクリーン上に投写された映像は、前記２台のプロジェクタより投写された投写映像が重なった映像領域と、前記投写映像が重ならない非映像領域とを形成しており、前記ケースの上面は該上面より一体的に突設された一対のボスと、前記プロジェクタを上下に重ねて配置したときに上部に配置されたプロジェクタの前記脚部が挿入される３個の凹孔とを有しており、前記ケースの下面は前記プロジェクタを上下に重ねて配置したときに下部に配置されたプロジェクタの前記一対のボスの先端が挿入される一対の凹部を有しており、前記凹孔のうち２個の凹孔の最奥部には第１押しボタンスイッチが配置されており、前記凹部の最奥部には第２押しボタンスイッチが配置されており、前記プロジェクタを上下に重ねて配置するときに、下側のプロジェクタの前記第１押しボタンスイッチは上側のプロジェクタの前記脚部にて２個同時に押され、前記上側のプロジェクタの前記第２押しボタンスイッチは前記下側のプロジェクタのボスにて２個同時に押されるものであり前記第１押しボタンスイッチを押されたプロジェクタの映像生成手段は前記映像領域に投写しようとする画像と、該映像領域の下部に連結する非映像領域に黒画像とが投写されるように映像を生成するとともに、前記第２押しボタンスイッチを押されたプロジェクタの映像生成手段は前記映像領域に前記投写しようとする画像と同じ画像と該映像領域の上部に連結する非映像領域に黒画像とが投写されるように映像を生成することを特徴とするプロジェクタ装置。
【発明の効果】
【００２６】
本発明によると、上下に積み重ねて使用することができ、自動的に各プロジェクタからスクリーンへの投写映像の一部を精度良く一致させ、明るい投写映像をスクリーン上に表示することができるプロジェクタ及びこのプロジェクタを２台用いたプロジェクタ装置を提供することができる。
【００２７】
また本発明によると、上下に積み重ねて使用することができ、上又は下に配置されたことを自動的に認識することができ、それだけ、簡単に扱うことができるプロジェクタ及びこのプロジェクタを２台用いたプロジェクタ装置を提供することができる。
【００２８】
さらに本発明によると、上及び下のいずれにも配置することができ、それだけ、取り扱いが容易なプロジェクタ及びこのプロジェクタを２台用いたプロジェクタ装置を提供することができる。
【００２９】
また本発明によると、小型のプロジェクタを上下に積み重ねて映像を投写することで、略同じ投写映像を投写できる大型プロジェクタに比べて安価に明るい投写映像をスクリーン上に表示することができるプロジェクタ装置を提供することができる。
【発明を実施するための最良の形態】
【００３０】
以下に本発明の実施形態を図面を参照して説明する。図１に本発明にかかるプロジェクタの一例を上下に２台積み重ねたプロジェクタ装置の図を示す。図１に示すようにプロジェクタ装置ＡはスクリーンＳｃに映像を投写する投写装置であり、テーブル等の設置台Ｔａの上に設置された第１プロジェクタ１ａと、第１プロジェクタ１ａの上部に積み重ねられた第２プロジェクタ１ｂとを有している。第１プロジェクタ１ａ及び第２プロジェクタ１ｂは同一構成であり、便宜上、第１プロジェクタ１ａの構成を主に説明する。
【００３１】
図２に図１に示すプロジェクタ装置に用いられるプロジェクタの平面図を、図３に図２に示すプロジェクタの底面図を、図４に図２に示す第１プロジェクタの側断面図をそれぞれ示す。図４に示すように第１プロジェクタ１ａはケース２と、ケース２内部に配置され、光を出射する光源１１と、光源１１より出射された光から映像を生成する光学エンジン１２と、光学エンジン１２で生成された映像をスクリーンＳｃに拡大投写する投写レンズ１３とを有している。
【００３２】
また、図２に示すように、ケース２の上面２１には、２個の係合凹孔３、３と、上面より一体突設された円柱状の第１ボス４、４とが備えられている。係合凹孔３、３の最奥部には第１スイッチ３１、３１（それには限らないが、ここでは第１タクトスイッチ３１、３１）が配置されている。
【００３３】
また、図３に示すように、ケース２の下面２２には脚部５と、下面に配置された第２ボス６と対角線上に配置された２個の凹部７、７とが備えられている。凹部７、７の最奥部には第２スイッチ７１、７１（それには限らないが、ここでは、第２タクトスイッチ７１、７１）が備えられている。
【００３４】
脚部５は正面側（投写レンズ１３に近い側）中心軸を挟んで対称に配置された第１脚部材５１及び第２脚部材５２と、中心軸上の背面側に第１脚部５１及び第２脚部５２と等距離になるように配置された第３脚部材５３とを有している。
【００３５】
脚部５の第１脚部材５１と第３脚部材５３とにはねじが形成されており、回動させることで下面２２からの長さが調整できる。また、第２脚部材５２は高さ（長さ）が一定になるように固定されている（図４参照）。例えば、第１脚部材５１を回動させることで第１プロジェクタ１ａを左右に傾けることができ、第３脚部材５３を回動させることで第１プロジェクタ１ａを前後に傾けることができる。
【００３６】
ケース２の上面に形成されている２個の係合凹孔３、３は、上部に配置されたプロジェクタの第２脚部材５２の先端が挿入される第１係合凹孔３２と、第２ボス６の先端が挿入される第２係合凹孔３３とを有している。第２ボス６は第２脚部材５２の長さよりも短く形成されている。第１係合凹孔３２の深さと第２係合凹孔３３の深さの差は、第２脚部材５２の長さと第２ボス６の長さの差と同じ又は略同じになるように形成されている。また、ケース２の上面２１に突設された第１ボス４、４は、その先端部が上部に配置されたケース２の凹部７、７に挿入される位置に形成されている。
【００３７】
第１タクトスイッチ３１、３１が同時に押された場合、第１プロジェクタ１ａは上面２１に別のプロジェクタが積み重ねて配置されたと認識する。逆に、第２タクトスイッチ７１、７１が同時に押された場合、第１プロジェクタ１ａが別のプロジェクタの上に積み重ねて配置されたと認識するものである。
【００３８】
図２、図３に示すように第１タクトスイッチ３１、３１及び第２タクトスイッチ７１、７１は２個ずつ備えられており、それぞれ両方のスイッチが押されることで、動作するものである。このように、２個のスイッチが同時に押されたときのみ認識することで、誤動作を防止することが可能である。
【００３９】
第１プロジェクタ１ａと第２プロジェクタ１ｂとを積み重ねて配置する手順を説明する。まず、第２プロジェクタ１ｂの脚部５の第１脚部材５１及び第３脚部材５３を回動させ、長さが最短になるようにする。この状態で、第２プロジェクタ１ｂの第２脚部材５ｂの先端が第１プロジェクタ１ａの第１係合凹孔３２に、第２プロジェクタ１ｂの第２ボス６の先端が第２係合凹孔３３に挿入されるように、第２プロジェクタ１ｂを第１プロジェクタ１ａの上に積み重ねて配置する。
【００４０】
第２プロジェクタ１ｂの第２脚部材５２及び第２ボス６が第１プロジェクタ１ａの第１係合凹孔３２及び第２係合凹孔３３に挿入されることで、第１プロジェクタ１ａの第１係合凹孔３２及び第２係合凹孔３３の最奥部に備えられた第１タクトスイッチ３１、３１が同時に押される。第１タクトスイッチ３１、３１が同時に押されることで、第１プロジェクタ１ａは上部に第２プロジェクタ１ｂが積み重ねられて配置されたこと、すなわち、第１プロジェクタ１ａは第２プロジェクタ１ｂの下方に重ねて配置されたことを自動的に認識することができる。
【００４１】
第２プロジェクタ１ｂが第１プロジェクタ１ａの上に重ねて配置されると、第１プロジェクタ１ａの第１ボス４、４の先端が第２プロジェクタ１ｂの下面２２に形成されている凹部７、７に挿入される。第２プロジェクタ１ｂの凹部７、７の最奥部に備えられた第２タクトスイッチ７１、７１が第１プロジェクタ１ａのボス４、４の先端に押される。第２プロジェクタ１ｂは第２タクトスイッチ７１、７１が同時に押されたことで第１プロジェクタ１ａの上部に積み重ねられて配置されたことを自動的に認識することができる。
【００４２】
図５に図１に示すプロジェクタ装置を用いてスクリーン上に映像を投写したときの投写映像の図を示す。図１に示すように第１プロジェクタ１ａ及び第２プロジェクタ１ｂは、それぞれのプロジェクタ１ａ、１ｂより投写された映像の光軸が平行になるように積み重ねられている。すなわち、第１プロジェクタ１ａ及び第２プロジェクタ１ｂより同時にスクリーンＳｃ上に投写されたスクリーン映像Ｒには、第１プロジェクタ１ａから投写される第１投写映像Ｌ１の上方部と第２プロジェクタ１ｂから投写される第２投写映像Ｌ２の下方部が重なった映像領域Ｒ１（図５中網掛け部）が形成されている。
【００４３】
また、スクリーン映像Ｒの映像領域Ｒ１の下側には第１投写映像Ｌ１の第２投写映像Ｌ２と重ならない部分（以下第１非映像領域Ｒ２ａという）が、映像領域Ｒ１の上側には第２投写映像Ｌ２の第１投写映像Ｌ１と重ならない部分（以下第２非映像領域Ｒ２ｂという）が形成されている。
【００４４】
図６（Ａ）に第１プロジェクタを単独で用いた場合の投写映像を、図６（Ｂ）に図１に示すプロジェクタ装置の第１プロジェクタより投写される第１投写映像を、図６（Ｃ）に図１に示すプロジェクタ装置の第２プロジェクタより投写される第２投写映像を示す。図６（Ａ）に示す投写映像Ｔｅは第１プロジェクタ１ａ又は第２プロジェクタ１ｂを単独で用いたときの映像であり、縦ａ、横ｂの矩形状の映像をスクリーンＳｃ上に投写している。
【００４５】
第１プロジェクタ１ａの上に第２プロジェクタ１ｂを積み重ねて配置することで、第１プロジェクタ１ａの第１タクトスイッチ３１、３１が同時に押され、第１プロジェクタ１ａは第２プロジェクタ１ｂの下部に配置されていることを認識する。このとき、第１プロジェクタ１ａは図６（Ｂ）に示すように、図５のスクリーン映像Ｒの映像領域Ｒ１に投写する投写映像Ｔｅと、第１非映像領域Ｒ２ａに投写する第１非投写映像Ｌ１１とを備えた第１投写映像Ｌ１を生成するように光学エンジン１２を調整する。第１非投写映像Ｌ１１は、それには限定されないが、ここでは、黒の映像（すなわち、光源からの光が照射しない部分）を形成するものを挙げることができる。
【００４６】
第１プロジェクタ１ａの上に第２プロジェクタ１ｂを積み重ねて配置することで、第２プロジェクタ１ｂの第２タクトスイッチ７１、７１が同時に押され、第２プロジェクタ１ｂは第１プロジェクタ１ａの上部に配置されていることを認識する。このとき、第２プロジェクタ１ｂは図６（Ｃ）に示すように、図５のスクリーン映像Ｒの映像領域Ｒ１に投写する投写映像Ｔｅと、第２非映像領域Ｒ２ｂに投写する第２非投写映像Ｌ２１とを備えた第２投写映像Ｌ２を生成するように光学エンジン１２を調整する。第２非投写映像Ｌ２１も第１非投写映像Ｌ１１と同様に、黒の映像（すなわち、光源からの光が照射しない部分）を形成するものであるが、これに限定されるものではない。
【００４７】
第１プロジェクタ１ａの上に第２プロジェクタ１ｂの上に積み重ねることで、第１プロジェクタ１ａの光学エンジン１２及び第２プロジェクタ１ｂの光学エンジン１２が自動的に調整される。この状態で第１プロジェクタ１ａからの第１投写映像Ｌ１と第２プロジェクタ１ｂからの第２投写映像Ｌ２とがスクリーンＳｃ上に同時に投写されることで、スクリーンＳｃ上にスクリーン映像Ｒが表示される。
【００４８】
このとき、図５に示すようにスクリーン映像Ｒの映像領域Ｒ１は縦ａ２、横ｂであり、縦横比（アスペクト比）はａ２／ｂである。図６（Ａ）に示す映像は縦ａ、横ｂであり、縦横比（アスペクト比）はａ／ｂである。映像領域Ｒ１は図６（Ａ）に示す映像に比べて横長の映像になるが、映画やＨＤ放送等の横長映像を投写するときは変形しない映像を投写することが可能である。また、アスペクト比ａ／ｂの映像であっても、映像の内容に大きく影響しない上及び（又は）下の部分を取り除くか、縦を圧縮した映像を投写することであってもよい。
【００４９】
また、映像領域Ｒ１の右及び（又は）左に黒映像を投写するようにし、アスペクト比がａ／ｂになるように映像領域Ｒ１を調整し、更に、映像を拡大してスクリーンＳｃの大きさにあった大きさで投写するようにしてもよい。この場合、より大きく拡大しなくてはならないが、２台のプロジェクタ１ａ、１ｂより映像が投写されているので、十分に明るい映像を投写することができる。
【００５０】
図７に本発明にかかるプロジェクタの他の例の平面図を、図８に図７に示すプロジェクタの底面図を示す。図７に示すプロジェクタはケース２の上面に脚部の先端が挿入される係合凹孔８を３個備えているとともに、底面に備えられていた第２ボスを省略した以外は図２等に示す第１プロジェクタ１ａと同じ構成を有しており、実質上同じ部分には同じ符号が付してある。
【００５１】
図７、図８に示すように、第１プロジェクタ１ａのケース２の上面２１には係合凹孔８と、上面２１より一体突設された円柱状のボス４、４とが備えられている。ケース２の上面２１に形成されている係合凹孔８は、上部にプロジェクタが配置されたときに上部に配置されたプロジェクタの第１脚部材５１が挿入される第１係合凹孔８１と、第２脚部材５２が挿入される第２係合凹孔８２と、第３脚部材５３が挿入される第３係合凹孔８３とを有している。また、第２係合凹孔８２及び第３係合凹孔８３の最奥部には第１スイッチ８４、８４（ここでは第１タクトスイッチ８４、８４）が配置されている。
【００５２】
図７、図８に示すプロジェクタ１を上下に積み重ねて配置した場合、上側のプロジェクタ１の第２脚部材５２及び第３脚部材５３が第１タクトスイッチ８４、８４を押す。このことにより、下側に配置されたプロジェクタ１は下側に配置されたことを自動的に認識することができる。このとき、上側に配置するプロジェクタ１の脚部材の長さを最短にする必要がないので、それだけ、簡単に積み重ねることができるとともに、明るい映像をスクリーン上に投写することができる。
【００５３】
上記実施例において、投写映像を生成する光学エンジンとして、例えば、ＤＭＤ（Ｄｉｇｉｔａｌ  Ｍｉｒｒｏｒ  Ｄｅｖｉｃｅ：登録商標）を用いたもの、透過型液晶を用いたもの、反射型液晶を用いたもの等、光源１１からの光から、映像を生成することができるものを広く採用することが可能である。
【００５４】
上記実施例のプロジェクタを用いることで、複雑な微調整を行うことなく、上下に重ねたプロジェクタより同じスクリーンに映像を投写することができるとともに、投写映像の重なる部分（映像領域）の映像を精度良く重ね合わせることができる。
【００５５】
このように、複雑な操作を行うことなく、映像領域の映像を精度良く重ね合わせることで、スクリーン上に明るい映像を投写することが可能である。
【００５６】
また上記各実施例のプロジェクタは、上下に２個積み重ねるときに、上下の区別なく重ねることができるので、上下を確かめて積み重ねる手間や、上下を間違えたときに組み替える手間を省くことができ、それだけ、簡単な操作で明るい映像をスクリーンに投写することができる。
【００５７】
上述した各実施例では、第１スイッチ及び第２スイッチとしてタクトスイッチを使用したものを挙げているが、それに限定されるものではなく、積み重ねられたことを認識することができるスイッチを広く採用することができる。また、２個同時に押すことで認識するものとしているが、１個のもの、さらに多数のもの等、誤作動がおきないように配置されるものとしてもよい。
【００５８】
以上、発明の実施形態を具体的に説明したが、本発明は上記実施形態に限定するものではなく、その要旨を逸脱しない範囲で種々変更可能である。
【産業上の利用可能性】
【００５９】
本発明は、スクリーン上に映像を投写するためのプロジェクタ装置に対して適用することが可能である。
【図面の簡単な説明】
【００６０】
【図１】本発明にかかるプロジェクタを上下に２台積み重ねたプロジェクタ装置である。
【図２】図１に示すプロジェクタ装置に用いられるプロジェクタの平面図である。
【図３】図２に示すプロジェクタの底面図である。
【図４】図２に示す第１プロジェクタの側断面図である。
【図５】図１に示すプロジェクタ装置を用いてスクリーン上に映像を投写したときの投写映像の図である。
【図６】図（Ａ）は第１プロジェクタを単独で用いた場合の投写映像の概略図であり、図（Ｂ）は図１に示すプロジェクタ装置の第１プロジェクタより投写される第１投写映像の概略図であり、図（Ｃ）は図１に示すプロジェクタ装置の第２プロジェクタより投写される第２投写映像の概略を示す図である。
【図７】本発明にかかるプロジェクタの他の例の平面図である。
【図８】図７に示すプロジェクタの底面図である。
【符号の説明】
【００６１】
Ａ、Ｂ  プロジェクタ装置
１ａ  第１プロジェクタ
１ｂ  第２プロジェクタ
２  ケース
２１  下面
２２  上面
３  係合凹孔
３１  第１スイッチ（第１タクトスイッチ）
３２  第１係合凹孔
３３  第２係合凹孔
４  第１ボス
５  脚部
５１  第１脚部
５２  第２脚部
５３  第３脚部
６  第２ボス
７  凹部
７１  第２スイッチ（第２タクトスイッチ）
【図１】
2007322820.tif 000003
【図２】
2007322820.tif 000004
【図３】
2007322820.tif 000005
【図４】
2007322820.tif 000006
【図５】
2007322820.tif 000007
【図６】
2007322820.tif 000008
【図７】
2007322820.tif 000009
【図８】
2007322820.tif 000010